(57)【要約】【課題】受信機の電源OFF操作及び停電時にマイコンの不完全は終了処理による次起動時の不具合発生を回避すること。【解決手段】受信機の電源の入り切りを機械的に行う電源スイッチ手段２と、受信機の制御を行うマイコン手段９と、電源スイッチ手段２の入りの状態をマイコン手段９からの電源制御信号によって保持する電源制御手段５と、主電源スイッチの切り換え状態を検出し電気信号に変換する状態検出手段３とを備え、電源スイッチ手段２の操作時マイコンの終了処理完了後電源を停止することで、マイコンの終了処理時の不具合が回避できる。【選択図】図１
2005039718.tif 000002
【特許請求の範囲】
【請求項１】
受信機の電源の入り切りを機械的に行う電源スイッチ手段と、前記受信機の制御を行うマイクロコンピュータ（以下、マイコンと記す）手段と、前記電源スイッチ手段の入りの状態を前記マイコン手段からの電源制御信号によって保持する電源スイッチ制御手段と、前記電源スイッチ手段の切り換え状態を検出し電気信号に変換する状態検出手段とを備えた電源制御装置。
【請求項２】
状態検出手段は、電源スイッチ手段の切り換え状態の検出に加え、受信機の商用電源からの電源供給の有無を検出し電気信号に変換する請求項１記載の電源制御装置。
【発明の詳細な説明】
【技術分野】
【０００１】
本発明はテレビジョン受信機などの信号を受ける受信機の電源の入り切り（ＯＮ・ＯＦＦ）を機械的に行う電源スイッチ手段の切り時間を、マイコン手段により制御する受信機における電源制御装置に関するものである。
【背景技術】
【０００２】
従来の受信機の電源の入り切りを行う電源スイッチ手段としては、接点の移動により電源供給の有無を行う機械的なスイッチ手段が一般的に広く使用されている（例えば、特許文献１参照）。
【０００３】
図４は、前記特許文献１に記載された従来の電源制御装置を示すものである。
【０００４】
図４において、商用交流電源電圧を予め設定された交流電圧に変圧する電源変圧手段１９の出力は整流手段１８に入力される。
【０００５】
整流手段１８では入力された交流電圧を直流電圧に変換し、テレビジョン受信機の電源の入り切りを行う電源スイッチ手段２０により、この電源スイッチ手段２０の接地側が基準電位に接地されたとき、整流電源２１をマイコン手段２２に出力するよう動作していた。
【特許文献１】特開平１１−１６４２２８号公報
【発明の開示】
【発明が解決しようとする課題】
【０００６】
しかしながら、図４に示す従来の構成では、整流電源２１の出力の有無は電源スイッチ手段２０の接続状態によってのみ決定するため、テレビジョン受信機の使用者が電源スイッチ手段２０を操作し、電源状態を「入り状態」から「切り状態」にすると、直ちに整流電源２１の電位が低下し、マイコン手段２２の電源が停止しテレビ受信機の全動作が停止していた。
【０００７】
現在のデジタル衛星放送、デジタル地上放送の受信を行うテレビ受信機では多くの動作がマイコン手段により制御され、かつ高度にプログラムされて、おりマイコン手段と書き換え可能な記憶装置との間で絶えず信号の通信が行われているのが一般的である。
【０００８】
一方、テレビジョン受信機の使用者の意思により自由に電源の入り切りを行える電源スイッチ手段２０を操作してテレビジョン受信機の電源を「入り状態」から「切り状態」としたとき、マイコン手段２２と書き換え可能な記憶装置（図示せず）との間で信号の通信途中でも直ちにテレビジョン受信機の電源が停止するため、稀に書き換え可能な記憶装置に正しく情報が記憶できずに終了動作が行われ、この結果、テレビ受信機が次回起動時に正しい起動動作が行えない可能性が存在するという課題を有していた。
【０００９】
本発明は、前記従来の課題を解決するもので、使用者の意思によりテレビジョン受信機の電源を入り状態から切り状態としたときマイコン手段と書き換え可能な記憶装置との間の通信が終了する一定時間電源の停止を遅延させマイコン手段から書き換え可能な記憶装置に正しく情報が記憶された後、マイコン手段からの制御により電源の停止を行うことで多くの動作がマイコン手段により制御されかつ高度にプログラムされている現在のデジタル衛星放送やデジタル地上放送の受信を行うテレビ受信機においても安定した終了動作および起動動作を行えるテレビジョン受信機用の電源制御装置を提供することを目的とする。
【課題を解決するための手段】
【００１０】
前記従来の課題を解決するために、本発明の電源制御装置は、テレビジョン受信機などの電源の入り切りを機械的に行う電源スイッチ手段と、テレビジョン受信機などの制御を行うマイコン手段と、電源スイッチ手段の入りの状態をマイコン手段からの電源制御信号によって保持する電源スイッチ制御手段と、電源スイッチ手段の切り換え状態を検出し電気信号に変換する状態検出手段とを有し、電源の入りから切りの制御をマイコン手段により行う。
【００１１】
本構成によって、マイコン手段からの制御により電源の停止を行うことで多くの動作がマイコン手段により制御され、かつ高度にプログラムされている現在のデジタル衛星放送やデジタル地上放送の受信を行うテレビ受信機においても、安定した終了動作および起動動作を行える。
【発明の効果】
【００１２】
以上のように、本発明の電源制御装置によれば、商用交流電源の突然の停止、および使用者による電源スイッチ切り操作の際、電源断通知信号により直ちにマイコン手段と書き換え可能な記憶意装置間の終了処理を行うことで多くの動作がマイコン手段により制御されかつ高度にプログラムされている現在のデジタル衛星放送やデジタル地上放送の受信を行うテレビ受信機においても更に安定した終了動作および起動動作を行なうことができる。
【発明を実施するための最良の形態】
【００１３】
以下、本発明の実施の形態について図面を参照しながら説明する。
【００１４】
（実施の形態１）
図１は実施の形態１における電源制御装置のブロック図であり、本実施の形態では、テレビジョン受信機の電源制御装置について具体的に説明する。
【００１５】
図1において商用交流電源電圧を予め設定された交流電圧に変圧する電源変圧手段４の出力は整流手段１に入力される。整流手段１では入力された交流電圧を直流電圧に変換し、テレビジョン受信機の電源の入り切りを行う電源スイッチ手段２により接地側が基準電位に接地されたとき、整流電源６をマイコン手段９に出力するよう動作させる。
【００１６】
電源状態検出手段３は、電源スイッチ手段２と機械的に接続され、かつ電源スイッチ手段２の動作に同期して動作することで電源スイッチ手段２の接続状態を検知するためのものである。電源状態検出手段３の出力信号である電源状態検出信号７は、マイコン手段９と電源制御手段５に入力される。
【００１７】
マイコン手段９は、入力された電源状態検出信号７の情報を元に電源制御信号８を電源制御手段５に出力する。
【００１８】
電源制御手段５では入力された電源制御信号８と電源状態検出信号７を元に電気制御スイッチ手段１０の入り切りを行う。
【００１９】
電気制御スイッチ手段１０は電源スイッチ手段２に並列接続されている。
【００２０】
いま、テレビジョン受信機の電源が切り状態のとき、電源スイッチ手段２は切り状態で整流電源６は停止しているためマイコン手段９は停止しており、そして電気制御スイッチ手段１０も切り状態にある。テレビジョン受信機の使用者が電源スイッチ手段２を基準電位と接続状態とすると、整流手段１で電源変圧手段４の交流電源を整流し整流電源６が出力される。
【００２１】
整流電源６が出力されるとマイコン手段９が起動し、テレビ受信機の動作が開始すると同時に、電源スイッチ手段２が接続状態にある情報が電源状態検出手段３により検出され、電源状態検出信号７がマイコン手段９に入力される。マイコン手段９ではこの情報を元に電気制御スイッチ手段１０が接続状態となるよう電源制御手段５に電源制御信号８を出力する。
【００２２】
電源制御手段５では電源状態検出信号７と電源制御信号８の情報を元に電源状態検出信号７が接続状態でかつ電源制御信号８も接続状態となったとき電気制御スイッチ手段１０が接続されるよう動作する。このとき電源スイッチ手段２は接続状態にあり、更に電気制御スイッチ手段１０も接続状態となる。
【００２３】
次にテレビジョン受信機の使用者が電源スイッチ手段２を操作して電源スイッチ手段２が切り状態となると、その接続状態は、電源スイッチ手段２に機械的に接続されかつ同期して動作する電源接続状態検出手段３によって、電源状態検出信号７としてマイコン手段９と電源制御手段5に通知される。
【００２４】
電源スイッチ手段２が切り状態となった場合でもまだ電気制御スイッチ手段１０は電源制御手段５によって接続状態が維持される。また電源状態検出信号７の状態変化に基づきマイコン手段９内では直ちに書き換え可能な記憶装置などの終了処理を行い、終了処理完了後に電気制御スイッチ手段１０が非接続状態となるよう電源制御手段５に電源制御信号８を出力する。
【００２５】
電源制御手段５では電源制御信号８を元に電気制御スイッチ手段１０が切り状態となるよう動作し、電気制御スイッチ手段１０が非接続状態となり整流電源６が停止しマイコン手段９への電源供給が停止し、テレビ受信機のすべての動作が停止する。
【００２６】
また、電源接続状態検出手段３によって電源スイッチ手段２の接続状態の変化が電源状態検出信号７として入力された電源制御手段５内では電源スイッチ手段２の接続状態の変化時点から時間計測を開始し、予め設定された時間以内にマイコン手段９からの電源制御信号８が非接続状態となる信号が入力されない場合には強制的に電気制御スイッチ手段１０が非接続状態となるよう動作することで、何らかのプログラム不具合によりマイコン手段９の動作が中断しても確実に電気制御スイッチ手段１０を非接続するよう動作する。
【００２７】
図２は電源スイッチ手段２が非接続動作時の各部の信号波形の図を示し横軸は時間軸である。テレビジョン受信機の使用者が電源スイッチ手段２を操作し電源スイッチ手段２が切り状態となると、電源スイッチ手段２の切り操作ポイント１７で電源状態通知信号波形１１は変化し、マイコン手段９で終了処理が行われる時間遅延後、電源制御信号波形１２のように出力され、電源制御非接続ポイント１３で電気制御スイッチ手段１０が非接続状態となる。
【００２８】
また電源制御非接続ポイント１３で電源制御信号波形１２が変化しない場合は、電源制御手段５内で電源スイッチ手段２の切り操作ポイント１７から時間計測を行い、最長電源制御手段内上限設定時間１５には最長電源停止ポイント１６で電気制御スイッチ手段１０が非接続状態となる。
【００２９】
かかる構成によれば、テレビジョン受信機の電源の入り切りを機械的に行う電源スイッチ手段と、テレビジョン受信機の制御を行うマイコン手段と、電源スイッチ手段の入りの状態をマイコン手段からの電源制御信号によって保持する電源スイッチ制御手段と、電源スイッチの切り換え状態を検出し電気信号に変換する状態検出手段とを有し、電源の入りから切りの制御をマイコン手段により行うことができ、使用者が任意に電源スイッチ手段を操作してもマイコン手段と書き換え可能な記憶意装置との間の信号の通信が終了した後に電源停止を行えるため、マイコン手段からの制御により電源の停止を行うことで多くの動作がマイコン手段により制御されかつ高度にプログラムされている現在のデジタル衛星放送やデジタル地上放送の受信を行うテレビ受信機においても安定した終了動作および起動動作を行なうことができる。
【００３０】
（実施の形態２）
図３は、本発明の第２の実施の形態のテレビジョン受信機における電源制御装置のブロック図である。図３において、図１および図２と同じ構成要素については同じ符号を用い、説明を省略する。
【００３１】
図３において、電源断検出手段２３は電源変圧手段４と接続され、交流電源からの電源供給状態を検出している。交流電源からの電源供給が停電などで停止したとき直ちに電源断検出信号２４が電源制御手段５に入力され、この場合も電源スイッチ手段２の操作時と同様に、電源状態検出信号７の状態変化としてマイコン手段９に出力するよう動作する。
【００３２】
マイコン手段９内では直ちに書き換え可能な記憶装置などの終了処理を行なう。
【００３３】
かかる構成によれば、（実施の形態１）に記載の構成に加え、電源断検出手段２３を有することで、電源の「入り」から「切り」の制御をマイコン手段により行うことができ、使用者が任意に電源スイッチ手段を操作してもマイコン手段と書き換え可能な記憶意装置との間の信号の通信が終了した後に電源停止を行えるため、マイコン手段からの制御により電源の停止を行うことに加え、商用交流電源の突然の停止の際も電源断通知信号２４により直ちにマイコン手段と書き換え可能な記憶意装置との間の信号の通信の終了処理を行うことで多くの動作がマイコン手段により制御されかつ高度にプログラムされている現在のデジタル衛星放送やデジタル地上放送の受信を行うテレビ受信機においても更に安定した終了動作および起動動作を行なうことができる。
【００３４】
尚、（実施の形態１）及び（実施の形態２）ではマイコン手段９の終了処理時間遅延した後電気制御スイッチ手段１０を接続状態から非接続状態になるよう制御するが、テレビジョン受信機内の電源供給装置の電源断時の出力電圧降下時間がマイコン手段9の終了処理時間を上回る場合、電気制御スイッチ手段１０を削除しても同様の効果が得られる。
【産業上の利用可能性】
【００３５】
本発明に関わる電源制御装置は、電源の突然の停止、または使用者による電源スイッチ切り操作の際に電源断通知信号により直ちにマイコン手段と書き換え可能な記憶意装置間の終了処理を行うので、マイコン手段により制御されるデジタル衛星放送やデジタル地上放送の受信機として有用である。
【図面の簡単な説明】
【００３６】
【図１】本発明の第１の実施の形態である電源制御装置の構成を示す図
【図２】本発明の実施の形態１における各部タイミング図
【図３】本発明の第２の実施の形態である電源制御装置の構成を示す図
【図４】従来の電源制御装置の構成を示す図
【符号の説明】
【００３７】
１    整流手段
２    電源スイッチ手段
３    電源状態検出手段
４    電源変圧手段
５    電源制御手段
６    整流電源
７    電源状態検出信号
８    電源制御信号
９    マイコン手段
１０    電気制御スイッチ手段
２３    電源断検出手段
【図１】
2005039718.tif 000003
【図２】
2005039718.tif 000004
【図３】
2005039718.tif 000005
【図４】
2005039718.tif 000006